(57)【要約】【課題】被処理液中のシアン化合物をごく低濃度まで除去でき、かつ、析出物の分離が容易な電解法によるシアン化合物除去方法とその装置の提供。【解決手段】電解槽２に収容の被処理液１中に陽極３および陰極４を挿入して通電することにより、被処理液１に含有のシアン化合物を電解処理して除去する電解法によるシアン化合物除去方法で、陽極３として、鉄製電極Ｆとアルミ製電極Ａとの２種類の電極を使用して電解処理する方法、および、陽極３が、少なくとも鉄製電極Ｆとアルミ製電極Ａとの２種類の電極により構成されている装置と、電極が、少なくとも鉄製電極Ｆとアルミ製電極Ａとの２種類の電極を備えていて、鉄製電極Ｆを陽極３としアルミ製電極Ａを陰極４とする第一電解状態と、鉄製電極Ｆを陰極４としアルミ製電極Ａを陽極３とする第二電解状態とに切り換える電極切り換え手段が設けられている装置。【選択図】        図１
2005219001.tif 000002
【特許請求の範囲】
【請求項１】
電解槽に収容された被処理液中に電解用の電極である陽極および陰極を挿入し、その陽極と陰極間に通電することにより、前記被処理液に含有のシアン化合物を電解処理して除去する電解法によるシアン化合物除去方法であって、
前記陽極として、主として鉄イオンを溶出する鉄製電極と主としてアルミニウムイオンを溶出するアルミ製電極との２種類の電極を使用して電解処理する電解法によるシアン化合物除去方法。
【請求項２】
前記陰極として、主としてアルミニウムイオンを溶出するアルミ製電極を使用して電解処理する請求項１に記載の電解法によるシアン化合物除去方法。
【請求項３】
前記被処理液にカチオン系界面活性剤を添加して電解処理する請求項１または２に記載の電解法によるシアン化合物除去方法。
【請求項４】
前記被処理液のｐＨを７以下に制御して電解処理する請求項１〜３のいずれか１項に記載の電解法によるシアン化合物除去方法。
【請求項５】
被処理液を収容する電解槽と、その被処理液に対する電解用の電極である陽極および陰極を備えている電解法によるシアン化合物除去装置であって、
前記陽極が、少なくとも主として鉄イオンを溶出する鉄製電極と主としてアルミニウムイオンを溶出するアルミ製電極との２種類の電極により構成されている電解法によるシアン化合物除去装置。
【請求項６】
前記陰極が、主としてアルミニウムイオンを溶出するアルミ製電極により構成されている請求項５に記載の電解法によるシアン化合物除去装置。
【請求項７】
被処理液を収容する電解槽と、その被処理液に対する電解用の電極である陽極および陰極を備えている電解法によるシアン化合物除去装置であって、
前記電極が、少なくとも主として鉄イオンを溶出する鉄製電極と主としてアルミニウムイオンを溶出するアルミ製電極との２種類の電極を備えていて、前記鉄製電極を陽極とし前記アルミ製電極を陰極とする第一電解状態と、前記鉄製電極を陰極とし前記アルミ製電極を陽極とする第二電解状態とに切り換える電極切り換え手段が設けられている電解法によるシアン化合物除去装置。
【請求項８】
前記電極が、少なくともひとつの鉄製電極とひとつのアルミ製電極からなる電極対を複数対備えていて、それら各電極対が、前記電極切り換え手段によって前記第一電解状態と第二電解状態とに切り換え自在に構成されている請求項７に記載の電解法によるシアン化合物除去装置。
【請求項９】
前記電極切り換え手段が、少なくともひとつの電極対が前記第一電解状態にあるとき、他の電極対が前記第二電解状態になるように切り換える請求項８に記載の電解法によるシアン化合物除去装置。
【発明の詳細な説明】
【技術分野】
【０００１】
本発明は、電解槽に収容された被処理液中に電解用の電極である陽極および陰極を挿入し、その陽極と陰極間に通電することにより、前記被処理液に含有のシアン化合物を電解処理して除去する電解法によるシアン化合物除去方法に関し、さらに、その方法の実施に直接使用する装置、具体的には、被処理液を収容する電解槽と、その被処理液に対する電解用の電極である陽極および陰極を備えている電解法によるシアン化合物除去装置に関する。
【背景技術】
【０００２】
従来、シアン化合物で汚染された排水などの被処理液からシアン化合物を除去する方法としては、主にアルカリ塩素法や電解酸化法による酸化分解が用いられてきた。
しかし、特に、鉄等と安定なシアン錯化合物を含む被処理液からシアン化合物を除去する場合、上記のような電解酸化法でシアン錯化合物を分解することは非常に困難であり、実質的に使用不可能である。
【０００３】
そこで、鉄等と安定なシアン錯化合物を含む被処理液からシアン化合物を除去する場合は、紺青法、亜鉛白法などを用いて凝集沈殿により分離、除去する方法が一般的に用いられてきた。これらの方法は、鉄や亜鉛等、金属シアン錯体と反応して沈殿を生成する金属イオンを添加し、ｐＨ条件などを整えることにより、シアン化合物を析出させ、汚泥として被処理液から分離する方法である。
しかしながら、凝集沈殿法を用いる場合、薬剤添加量が多く薬品代が高くつく、薬剤を添加するために多量の汚泥が発生する、攪拌が必要なために騒音が発生する、といった問題があった。
さらに、大規模な設備が必要となるため、狭い場所で発生する被処理液や、短期間に少量だけ発生する被処理液には適用するのが困難であるという問題もあった。
【０００４】
このような凝集沈殿法による問題点を解消するものとして、被処理液を電解して析出物を浮上させ、その浮上物質を除去することによってシアン化合物を除去する方法が提案された（例えば、特許文献１参照）。
この特許文献に記載された電解による浮上分離法によれば、通常、シアン化合物、特に、鉄等の金属との錯体を形成しているシアン化合物は、鉄イオン、亜鉛イオン、銅イオンなどと安定な塩を生成することが知られており、被処理液中のシアン化合物を除去するに際し、前記のような金属イオンを添加し、塩として析出させて分離しようとするもので、鉄を溶出する電極を陽極として使用することが提案されている。
【０００５】
【特許文献１】特開昭４８−１０４３４６号公報
【発明の開示】
【発明が解決しようとする課題】
【０００６】
本発明者らは、薬剤費が安く、汚泥発生量が少なく、騒音の少ないシアン化合物除去技術を提供し、狭い場所で発生する被処理液や、短期間に少量だけ発生する被処理液に適用可能なシアン化合物除去技術を提供するために、電解浮上分離法により被処理液中のシアン化合物を分離除去する方法に関する検討を行った。
そして、上記特許文献に記載されているように、鉄を溶出する電極を陽極として用いてシアン化合物を含む被処理液の処理を試みたところ、被処理液中のシアン化合物は除去できたものの、生成した析出物が浮上せず、被処理液下部に沈降してしまうため、析出物の分離が困難であるという問題が明らかになった。
さらに、アルミニウムを溶出する電極を陽極として用いることにより被処理液中のシアン化合物を除去することを試みたところ、析出物が浮上し、シアン化合物もかなり除去できたが、ごく低濃度までシアン化合物を除去することが困難であるという問題が明らかになった。
【０００７】
本発明は、上述した試みをはじめとして種々の実験や検討を重ねて完成したもので、その目的は、被処理液中のシアン化合物をごく低濃度まで除去でき、かつ、析出物の分離が容易な電解法によるシアン化合物除去方法とその装置を提供することである。
【課題を解決するための手段】
【０００８】
本発明の第１の特徴構成は、電解槽に収容された被処理液中に電解用の電極である陽極および陰極を挿入し、その陽極と陰極間に通電することにより、前記被処理液に含有のシアン化合物を電解処理して除去する電解法によるシアン化合物除去方法であって、前記陽極として、主として鉄イオンを溶出する鉄製電極と主としてアルミニウムイオンを溶出するアルミ製電極との２種類の電極を使用して電解処理するところにある。
【０００９】
本発明の第１の特徴構成によれば、電解用の電極である陽極として、主として鉄イオンを溶出する鉄製電極と主としてアルミニウムイオンを溶出するアルミ製電極との２種類の電極を使用して電解処理するので、被処理液に含有のシアン化合物は、鉄製電極から溶出した鉄イオンと反応して鉄シアン錯体となって析出し、さらに、析出した鉄シアン錯体は、アルミ製電極から溶出したアルミニウムイオンが生成するフロックおよび気泡に付着して、被処理液の水面へ確実に浮上するので、被処理液中のシアン化合物を非常に低濃度になるまで除去することができる。
すなわち、単に、アルミニウムイオンを溶出するアルミ製電極を用いるだけでは、低濃度にまでシアン化合物を除去することが困難であり、その理由は、シアン化合物とアルミニウムイオンで生成される塩が不安定であるためと予想した。そして、安定した析出物を得るため、シアン化合物と反応して安定した鉄シアン錯体を析出する鉄イオンを添加したところ、後述する実験結果からも明らかなように、シアン化合物の除去率が向上することが確認された。
そして、その析出した鉄シアン錯体は、アルミニウムイオンが生成するフロックおよび電極において発生する気泡に付着されて、被処理液の水面へ確実に浮上するので、シアン化合物を非常に低濃度になるまで除去でき、有害なシアン化合物を含有する排水の処理を効率よく行うことができる。
【００１０】
本発明の第２の特徴構成は、上述したシアン化合物除去方法において、前記陰極として、主としてアルミニウムイオンを溶出するアルミ製電極を使用して電解処理するところにある。
【００１１】
本発明の第２の特徴構成によれば、陰極として、主としてアルミニウムイオンを溶出するアルミ製電極を使用して電解処理するので、例えば、陰極としてステンレスや炭素製の電極を使用するのに比べて安価であり、かつ、電解効率も良好である。
【００１２】
本発明の第３の特徴構成は、上述したシアン化合物除去方法において、前記被処理液にカチオン系界面活性剤を添加して電解処理するところにある。
【００１３】
本発明の第３の特徴構成によれば、被処理液にカチオン系界面活性剤を添加して電解処理するので、カチオン性の親水基に陰イオンであるシアン化合物を結合されることができ、その結合物は、上述したように、アルミニウムイオンが生成するフロックおよび気泡に付着し、さらには、界面活性剤に付随して、被処理液の水面へ確実に浮上するので、シアン化合物を非常に低濃度になるまで除去でき、有害なシアン化合物を含有する排水の処理を効率よく行うことができる。
【００１４】
本発明の第４の特徴構成は、上述したシアン化合物除去方法において、前記被処理液のｐＨを７以下に制御して電解処理するところにある。
【００１５】
本発明の第４の特徴構成によれば、被処理液のｐＨを７以下に制御して電解処理するので、シアン化合物の析出を促進させて、被処理液からのシアン化合物の除去を効率よく行うことができ、特に被処理液のｐＨを５．５以下に制御する場合には、シアン化合物の除去を一層効率よく行うことができる。
【００１６】
本発明の第５の特徴構成は、被処理液を収容する電解槽と、その被処理液に対する電解用の電極である陽極および陰極を備えている電解法によるシアン化合物除去装置であって、前記陽極が、少なくとも主として鉄イオンを溶出する鉄製電極と主としてアルミニウムイオンを溶出するアルミ製電極との２種類の電極により構成されているところにある。
【００１７】
本発明の第５の特徴構成によれば、電解用の電極である陽極が、少なくとも主として鉄イオンを溶出する鉄製電極と主としてアルミニウムイオンを溶出するアルミ製電極との２種類の電極により構成されているので、この装置を使用することにより、上記第１の特徴構成に記載の方法を実施して、被処理液中のシアン化合物を非常に低濃度になるまで除去することができる。
【００１８】
本発明の第６の特徴構成は、上述したシアン化合物除去装置において、前記陰極が、主としてアルミニウムイオンを溶出するアルミ製電極により構成されているところにある。
【００１９】
本発明の第６の特徴構成によれば、陰極が、主としてアルミニウムイオンを溶出するアルミ製電極により構成されているので、陰極としてステンレスや炭素製の電極を使用する場合に比べて、装置のコストダウンを図ることができ、かつ、電解効率も良好である。
【００２０】
本発明の第７の特徴構成は、被処理液を収容する電解槽と、その被処理液に対する電解用の電極である陽極および陰極を備えている電解法によるシアン化合物除去装置であって、前記電極が、少なくとも主として鉄イオンを溶出する鉄製電極と主としてアルミニウムイオンを溶出するアルミ製電極との２種類の電極を備えていて、前記鉄製電極を陽極とし前記アルミ製電極を陰極とする第一電解状態と、前記鉄製電極を陰極とし前記アルミ製電極を陽極とする第二電解状態とに切り換える電極切り換え手段が設けられているところにある。
【００２１】
本発明の第７の特徴構成によれば、電解用の電極が、少なくとも主として鉄イオンを溶出する鉄製電極と主としてアルミニウムイオンを溶出するアルミ製電極との２種類の電極を備えていて、鉄製電極を陽極としアルミ製電極を陰極とする第一電解状態と、鉄製電極を陰極としアルミ製電極を陽極とする第二電解状態とに切り換える電極切り換え手段が設けられているので、この装置を使用することにより、上記第１の特徴構成に記載の方法を実施して、被処理液中のシアン化合物を非常に低濃度になるまで除去することができるのに加えて、鉄製電極とアルミ製電極とが、陽極と陰極とに切り換えられるので、陰極として使用した際に表面に付着した不純物などが、陽極への切り換えによって積極的に除去されるので、陽極と陰極を適宜切り換えることによって、鉄製電極とアルミ製電極の表面を極力初期状態に維持することができ、所望どおりの電解処理を長時間にわたって行うことができる。
【００２２】
本発明の第８の特徴構成は、上述したシアン化合物除去装置において、前記電極が、少なくともひとつの鉄製電極とひとつのアルミ製電極からなる電極対を複数対備えていて、それら各電極対が、前記電極切り換え手段によって前記第一電解状態と第二電解状態とに切り換え自在に構成されているところにある。
【００２３】
本発明の第８の特徴構成によれば、電解用の電極が、少なくともひとつの鉄製電極とひとつのアルミ製電極からなる電極対を複数対備えていて、それら各電極対が、電極切り換え手段によって第一電解状態と第二電解状態とに切り換え自在に構成されているので、第一電解状態と第二電解状態とに適宜切り換えることにより、鉄製電極とアルミ製電極の表面を極力初期状態に維持しながら、被処理液中のシアン化合物を非常に低濃度になるまで除去することができる。
【００２４】
本発明の第９の特徴構成は、上述したシアン化合物除去装置において、前記電極切り換え手段が、少なくともひとつの電極対が前記第一電解状態にあるとき、他の電極対が前記第二電解状態になるように切り換えるところにある。
【００２５】
本発明の第９の特徴構成によれば、電極切り換え手段が、少なくともひとつの電極対が第一電解状態にあるとき、他の電極対が第二電解状態になるように切り換えるので、上述したように、鉄製電極とアルミ製電極の表面を極力初期状態に維持して被処理液中のシアン化合物を除去することができるのに加えて、そのシアン化合物の除去を連続的に行うことができる。
【発明を実施するための最良の形態】
【００２６】
本発明に係る電解法によるシアン化合物除去方法とその装置につき、実施の形態を図面に基づいて説明する。
本発明によるシアン化合物除去方法とその装置は、シアン化合物を含有する被処理液からシアン化合物を電解処理により浮上させて除去するもので、例えば、バッチ式に処理する場合には、図１に示すようなバッチ式電解処理装置が、また、連続式に処理する場合には、図２に示すような連続式電解処理装置が使用される。
【００２７】
図１のバッチ式電解処理装置は、シアン化合物を含有する被処理液１を収容するための電解槽２と、その電解槽２内の被処理液１に対する電解用の電極である陽極３および陰極４と、陽極３と陰極４間に通電する電源５を備え、さらに、被処理液１にカチオン系界面活性剤を添加する界面活性剤添加手段６を備えていて、電解により浮上した浮上物７を除去するように構成されている。
図２の連続式電解処理装置も、バッチ式電解処理装置と同様に、被処理液１を収容する電解槽２、電解用の電極である陽極３および陰極４と電源５、カチオン系界面活性剤を添加する界面活性剤添加手段６などを備えていて、浮上した浮上物７を除去するように構成されている。
ただし、連続式電解処理装置では、電解槽２の下方に被処理液１を連続的に供給する被処理液供給手段８が連通接続され、それに界面活性剤添加手段６が接続されて、被処理液供給手段８を通流する被処理液１にカチオン系界面活性剤を添加供給するように構成されている。
【００２８】
さらに、連続式電解処理装置では、電解槽２の上方に浮上物排出路９と処理液排出路１０が連通接続され、浮上物除去手段１１も設けられて、浮上物除去手段１１により浮上物７を掻き集めて浮上物排出路９から排出し、浮上物７を除去した後の処理液を処理液排出路１０から排出するように構成されるとともに、必要に応じて、浮上物７を上方へ案内する複数枚のガイド板１２も設けられている。
浮上物除去手段１１としては、例えば、浮上物７を掻き集めるレーキのようなものが適用可能であるが、殊更、特別な除去手段を設けることなく、浮上物排出路９からのオーバーフローによって自然に除去するように構成することもできる。
【００２９】
（第１実施形態）
以上が第１と第２実施形態に共通する構成であり、第１実施形態では、電解用の陽極３が２種類の電極Ｆ，Ａにより構成されている。
すなわち、図１のバッチ式電解処理装置においても、また、図２の連続式電解処理装置においても、それぞれ２つの陽極３と陰極４が設けられていて、第１実施形態では、２つの陽極３のうちのひとつが、主として鉄イオンを溶出する鉄製の電極Ｆにより構成され、他のひとつが、主としてアルミニウムイオンを溶出するアルミ製の電極Ａにより構成されている。
陰極４に関しては特に制限はなく、例えば、鉄やアルミニウムをはじめとして、ステンレスや炭素などで構成することもできるが、この実施形態では、２つの陰極４のいずれもが、主としてアルミニウムイオンを溶出するアルミ製の電極Ａにより構成されている。
【００３０】
つぎに、この第１実施形態によるシアン化合物除去装置の作用について説明し、シアン化合物除去方法について言及する。
被処理液１の中に電解用の陽極３および陰極４を挿入して、その陽極３と陰極４間に通電すると、一例として、鉄製電極Ｆからなる陽極３から鉄イオン（Ｆｅ2+）が溶出し、その鉄イオンが被処理液１中のシアン化合物と反応し、下記の化学式１に示すように、鉄シアン錯体と鉄の塩を生成して析出する。
【００３１】
（化１）
〔Ｆｅ（ＣＮ）6〕4-＋２Ｆｅ2+→Ｆｅ2〔Ｆｅ（ＣＮ）6〕
【００３２】
この鉄シアン錯体と鉄の塩であるＦｅ2〔Ｆｅ（ＣＮ）6〕は、アルミ製電極Ａからなる陽極３から溶出したアルミニウムイオン（Ａｌ3+）が生成するフロックおよび気泡に付着して浮上し、浮上物７として被処理液１の水面へ浮上する。したがって、浮上物７を取り除くことにより、被処理液１に含有のシアン化合物を確実に除去することができる。
【００３３】
そして、このような電解処理は、被処理液１に対して界面活性剤添加手段６からカチオン系界面活性剤が添加されて行われるので、浮上物７は一層確実に被処理液１の水面へ浮上し、シアン化合物の除去を効率よく行うことができる。
なお、被処理液１へ添加するカチオン系界面活性剤としては、カチオン系界面活性剤の中でも、特にセチルトリメチルアンモニウムブロミド（ＣＴＡＢ）が好ましく、そのカチオン系界面活性剤の添加量は、事前実験により最適濃度を決定すべきであるが、例えば、１０〜１００ｍｇ／Ｌの濃度となるように添加するとよい。
【００３４】
さらに、電解槽２内の被処理液１に対し、電気抵抗を少なくするために電解質を添加して電解処理するのがよく、また、被処理液１のｐＨを調整して、具体的には、被処理液１に酸性物質を添加してｐＨ７以下、より好ましくは、ｐＨ５．５以下に調整して電解処理するのがよい。
その電解質や酸性物質の添加時期は、被処理液１を電解槽２へ供給する前後のいずれでもよく、また、ポンプ等の供給手段により自動的に供給し、あるいは、ｐＨ自動調整装置によりｐＨを自動調整しながら供給するなど、種々の添加時期や添加方法を適宜選択して実施することができる。
また、電解槽２における被処理液１の滞留時間は、事前実験により最適な滞留時間を決定すべきであるが、例えば、２〜６０分とするのがよい。
【００３５】
電解処理の対象となる被処理液１としては、シアン化合物を含有する種々の溶液が該当し、例えば、シアン化合物を含有する地下水、工業廃水、埋立地の浸出水などである。好適な例としては、連続的に湧出または揚水される地下水があり、連続式電解処理装置を使用して、その地下水を被処理液１として連続的に処理することになる。
さらに、本発明による方法と装置は、被処理液１の発生量が少なく、大規模な水処理設備の設置に適さない条件での利用に適しており、例えば、短期間の工事期間中に発生する工事排水の処理や、毎日少量ずつ地下水を揚水して地下水の浄化を行う場所で利用するような場合に非常に有効である。
【００３６】
被処理液１中に含まれるシアン化合物としては、鉄シアン錯体、コバルトシアン錯体、金シアン錯体、ニッケルシアン錯体、銀シアン錯体などがあるが、特に、難分解性の鉄シアン錯体、コバルトシアン錯体、金シアン錯体に対しては、酸化分解法の適用が非常に困難であるため、有効である。
そして、電解処理した後の処理液は、そのまま排出することもできるが、電解処理によりｐＨが高くなる場合があり、通常は排出液のｐＨに関する規制が存在するため、処理液のｐＨが規制を満足するようにｐＨ調整した後に排出するのが望ましい。
また、浮上物７についても、上述したシアン化合物が含まれている可能性が高いため、脱水等の減容化措置を施した後、産業廃棄物として廃棄するか、焼却してシアン化合物を無害な形態に分解するのが望ましい。
【００３７】
なお、本発明の効果を確認するために種々の実験を行ったので、その一部を実験例および比較例として以下に言及する。
この実験例および比較例において、被処理液としては、水道水にフェロシアン化カリウムを１２．７４ｍｇ−ＣＮ／Ｌとなるように添加し、電解質として塩化ナトリウムを５００ｍｇ／Ｌとなるように添加したものを用いた。なお、そのときの初期ｐＨは７．９７であった。
実験は、図２のような容積約４Ｌの実験装置を使用し、合計８枚の電極（陽極４枚、陰極４枚）を使用し、各電極間の間隔を５ｍｍに設定して陽極と陰極を交互に配置した。そして、その実験装置に被処理液を２００ｍＬ／分の速度で供給し、陽極と陰極の間には４Ｖの電圧で通電し、その後、排出された処理液中の全シアン濃度を測定した。
その処理液中の全シアン濃度は、ＪＩＳ−Ｋ０１０２「工場排水試験方法」３８．１．２全シアン（ｐＨ２以下で発生するシアン化水素)に従って蒸留し、全自動シアン測定装置(アナテック・ヤナコ製Ｔ−ＣＮ５０１）を使用して、３８．４イオン電極法に従って定量した。
【００３８】
（実験例）
８枚の電極のうち、一番左側と右から２枚目の陽極に鉄製電極を使用し、残り６枚（陽極２枚、陰極４枚）をアルミ製電極にして実験を実施した。
被処理液を１０Ｌ処理して、その処理液の全シアン濃度を測定したところ、平均全シアン濃度は１．０７ｍｇ−ＣＮ／Ｌ、すなわち、全シアンの除去率は９１．０％であり、ほぼ全ての析出物が水面に浮上した。
【００３９】
（比較例）
８枚の電極の全てをアルミ製電極にして実験を実施した。
上記の実験例と同様に、被処理液を１０Ｌ処理して、その処理液の全シアン濃度を測定したところ、平均全シアン濃度は２．７５ｍｇ−ＣＮ／Ｌ、すなわち、全シアンの除去率は７８．５％であり、ほぼ全ての析出物が水面に浮上した。
【００４０】
この実験例と比較例から、８枚の電極（陽極４枚、陰極４枚）のうち、２枚の陽極を鉄製電極にすることで、全シアン除去率を大幅に向上させることができ、かつ、析出物を確実に浮上させて回収できることが確認された。
【００４１】
また、その他の実験により、界面活性剤の添加に関し、アニオン系およびノニオン系の界面活性剤は添加することにより添加しない場合と比較してシアン化合物除去率が若干低下するのに対して、カチオン系界面活性剤は添加することによりシアン化合物除去率が上昇することが明らかとなり、特にセチルトリメチルアンモニウムブロミド（ＣＴＡＢ）の場合には、その添加量が増えるとシアン除去率も顕著に上昇することが明らかとなった。
さらに、被処理液のｐＨに関しては、ｐＨが低いほどシアン除去率が高くなることが明らかとなった。
【００４２】
以上、第１実施形態においては、陽極３と陰極４を２つずつ設けた例を示し、その実験例と比較例においては、実際に陽極３と陰極４を４枚ずつ配置した例を示したが、陽極３と陰極４の個数あるいは枚数は、装置の大きさなどに応じて適宜変更することができ、さらに、陽極３と陰極４は、必ずしも同数にする必要はない。
例えば、図３に示すように、２つの陽極３とひとつの陰極４を設け、陽極３の一方を鉄製電極Ｆとし、他方をアルミ製電極Ａにするとともに、陰極４をアルミ製電極Ａで構成することもできる。
【００４３】
（第２実施形態）
第２実施形態では、図４に示すように、電解用の電極として、主として鉄イオンを溶出する鉄製電極Ｆと主としてアルミニウムイオンを溶出するアルミ製電極Ａとの２種類の電極を備え、両電極Ｆ，Ａが交互に配置されて合計４つの電極が設けられている。
換言すると、図４において、左側の２つの電極、つまり、鉄製電極Ｆとアルミ製電極Ａが互いにひとつの対をなし、右側の２つの電極、つまり、鉄製電極Ｆとアルミ製電極Ａが互いに別の対をなすように配置されている。
【００４４】
そして、この合計４つの電極と電源５の間に手動式の電極切り換え手段１３が介装されていて、例えば、左側の電極対においては、図４の（イ）に示すように、鉄製電極Ｆを陽極３としアルミ製電極Ａを陰極４とする第一電解状態と、図４の（ロ）に示すように、鉄製電極Ｆを陰極４としアルミ製電極Ａを陽極３とする第二電解状態とに切り換え自在に構成されている。
さらに、図４の（イ）に示すように、左側の電極対が第一電解状態にあるとき、右側の電極対が第二電解状態となり、図４の（ロ）に示すように、左側の電極対が第二電解状態にあるとき、右側の電極対が第一電解状態となるように切り換え自在に構成されている。
【００４５】
この第２実施形態によれば、鉄製電極Ｆとアルミ製電極Ａとが、陽極３と陰極４とに切り換えられるので、陰極４として使用した際に表面に付着した不純物などが、陽極３への切り換えによって積極的に除去されるので、鉄製電極Ｆとアルミ製電極Ａの表面を極力初期状態に維持して所望どおりの電解処理を長時間にわたって行うことができる。
なお、この第２実施形態では、電極切り換え手段１３として手動式のものを示したが、例えば、タイマーなどと組み合わせて、所定時間ごとに第一電解状態と第二電解状態とに自動的に切り換えるように構成することもできる。
【図面の簡単な説明】
【００４６】
【図１】第１実施形態によるバッチ式電解処理装置の概念図
【図２】第１実施形態による連続式電解処理装置の概念図
【図３】第１実施形態の変形例を示す電解処理装置の要部の概念図
【図４】第２実施形態による電解処理装置の要部の概念図
【符号の説明】
【００４７】
１      被処理液
２      電解槽
３      陽極
４      陰極
１３    電極切り換え手段
Ａ      アルミ製電極
Ｆ      鉄製電極
【図１】
2005219001.tif 000003
【図２】
2005219001.tif 000004
【図３】
2005219001.tif 000005
【図４】
2005219001.tif 000006